(57)【要約】【課題】就寝時の横向け寝や半うつ伏せ寝において、特に下側となる腕や肩及び太もも部などの圧迫を完全に回避し、同様に圧迫感を感じる胸、心臓部、お腹などの苦しさの解消につながる抱き枕であって、人の体型である肩幅、腕の長さ、体重などの違う人に対しても適合し、就寝時の左右への寝返りも対応でき、暑さによる発汗を回避する風通しなども確保できる健康で快適な抱き枕を提供すること。【解決手段】立方体又は直方体又は台形体又は菱形六面体に近似した形状体であって、各面には互いに向かい合う一方の辺の中央部近傍から対となるもう一方の辺の中央部近傍まで凹状の窪みを有する緩衝体であって、前記凹状の窪みは、少なくとも人の腕を挿入することができる大きさであることに特徴を有する就寝時用緩衝体。【選択図】図１
2020124361.tif 000002
【特許請求の範囲】
【請求項１】
立方体又は直方体又は台形体又は菱形六面体に近似した形状体であって、各面には互いに向かい合う一方の辺の中央部近傍から対となるもう一方の辺の中央部近傍まで凹状の窪みを有する緩衝体であって、前記凹状の窪みは、少なくとも人の腕を挿入することができる大きさであることに特徴を有する就寝時用緩衝体。
【請求項２】
前記立方体又は直方体又は菱形六面体に近似した形状体の少なくとも一辺の長さは、人の肩幅に近似させた寸法であって、小さい場合は子供の肩幅寸法に近似し、大きい場合は大人の肩幅に近似した寸法であることにあることに特徴を有する請求項１に記載の就寝時用緩衝体。
【請求項３】
前記台形体に近似した形状体の少なくとも一辺の長さは、人の肩幅に近似させた寸法であって、小さい場合は子供の肩幅寸法に近似し、大きい場合は大人の肩幅に近似した寸法であることにあることに特徴を有する請求項１に記載の就寝時用緩衝体。
【請求項４】
前記緩衝体は、前記立方体又は直方体又は台形体又は菱形六面体に近似した形状体の表面材質が、発泡性軟質樹脂及び／若しくは弾性布材から構成され、前記立方体又は直方体又は台形体に近似した形状体の内部が、発泡性樹脂球体で充填されていることに特徴を有する請求項１乃至３の何れか１項に記載の就寝時用緩衝体。
【請求項５】
前記発泡性軟質樹脂は連続気泡で形成されていることに特徴を有する請求項１乃至４の何れか１項に記載の就寝時用緩衝体。
【請求項６】
前記立方体又は直方体又は台形体又は菱形六面体に近似した形状体の各頂点部及び中心部が、球体又立方体又は直方体又は台形体又は菱形六面体に近似した前記緩衝体の立体物で構成されており、前記各頂点部は中心部と棒状体で連結されていることに特徴を有する請求項１乃至５の何れか１項に記載の就寝時用緩衝体。
【請求項７】
前記立方体又は直方体又は台形体又は菱形六面体に近似した形状体の内部は、小さな発泡性軟質樹脂球体及び／若しくは連続気泡で形成されている小さな発泡性軟質樹脂球体で充填されていることに特徴を有する請求項１乃至６の何れか１項に記載の就寝時用緩衝体。
【請求項８】
前記立方体又は直方体又は台形体又は菱形六面体に近似した形状体は、気体を充填して形成する大きなバルーン体（大きなキューブ体）であって、前記立方体又は直方体又は台形体に近似した形状体の頂点には、気体を充填して形成する小さな立体状のバルーン体（小さなキューブ体）が敷設されており、前記大きな各バルーン体の各頂点位置と前記小さな立体状のバルーン体との中心位置が同一位置近傍であり、前記大きな各バルーン体と前記小さな立体状のバルーン体は、内部連結されていることにより同一時に気体を充填又は排出することができることに特徴を有する請求項１に記載の就寝時用緩衝体。
【請求項９】
前記前記立方体又は直方体又は台形体又は菱形六面体に近似した形状体の少なくとも１つの面は、前記緩衝体で構成され、前記面を構成する頂点部以外の頂点部は、立体状の緩衝体で構成され、前記面を構成する頂点部及び前記面を構成する頂点部以外の頂点部が棒状体で連結されて前記前記立方体又は直方体又は台形体に近似した形状体を構成していることに特徴を有する請求項１乃至５の何れか１項に記載の就寝時用緩衝体。
【発明の詳細な説明】
【技術分野】
【０００１】
本発明は、人が就寝の際、横向き寝において使用されるクッション（所謂「抱き枕」）に係り、特に身体の安全・健康及び安眠を優先する抱き枕に関する。
【背景技術】
【０００２】
一般に、人が眠る際の身体の体勢には仰向き寝の他に、横向き寝、半うつ伏せ寝、うつ伏せ寝などがある。本発明においては、上記就寝姿勢の横向き寝及び半うつ伏せ寝の姿勢について言及するものである。
【０００３】
一般的に、横向き寝を続けると肩こりのしやすい身体になってしまうと言われている。また半うつ伏せ寝（「シムス位」とも言う。）をすると心臓を圧迫したりして胸やお腹の苦しさにつがる。このため、所謂抱き枕を使用することが多い。
【０００４】
抱き枕を使用した場合、横向き寝の上側の腕を抱き枕が支える状態となり肩が楽になるし、胸の圧迫感も軽減される。また半うつ伏せ寝の場合も、抱き枕が上側の腕を支え、且つ長い抱き枕であれば上側の脚太ももを支えるため、同様に胸の圧迫感やお腹の圧迫感を軽減させて、安眠に供することができる。
【０００５】
特に妊婦の場合は、仰向けで寝ると仰臥位低血圧症候群を引き起こす可能性があり、横向き寝が推奨されている。仰臥低血圧症候群とは、大きくなった子宮が下大静脈を圧迫することで急激な血圧低下を引き起こす症状を言う。このため横向き寝で且つ柔らかな抱き枕を活用することで健康で安心な眠りを享受することができるとして勧められている。
【０００６】
しかし、一般的に用いられている抱き枕は、柔らかい弾力性のあるクッション材で長い略円柱状で四方を丸形状にしたものや、身体にフィットするように前述の略円柱体をコの字形状にしたものなどが多種あるが、人の身体に完全にフィットするような抱き枕は見当たらないのが実情である。
【０００７】
人の身体の形状つまり体型は、大人から子供まで千差万別であり、例えば、就寝時の横向き寝においても、肩幅も違えば、腕の長さも違う。体重も千差万別であり、圧迫感や寝苦しさも違う。就寝中は左右に寝返りも頻繁に行うし、汗もかく。同様に半うつ伏せ寝においては、その人の体重によっては胸、腹などへの圧迫は健康に害を及ぼすことになりかねない。また暑い夏などは、単なるクッション抱き枕では風通しが悪く、寝苦しさが増し、発汗につながる。
【０００８】
単なるクッション材としての抱き枕では、特に下側となる腕や肩及び太もも部などの圧迫を完全に回避することはできないし、同様に圧迫感を感じる胸、心臓部、お腹などの苦しさの解消には至らない。特に、抱き枕は、購入の際、大小サイズの選択のみで使用する場合がほとんどであるから、人の体型に則した快適な抱き枕とはなりえない。
【０００９】
例えば、特許文献１（特開２００８−１１３８５４）には、略円柱状の軟質クッション性の抱き枕の技術が開示されているが、これは、円柱状の一定間隔にクビレを設け、枕との兼用を主目的とした抱き枕である。抱き枕を単体として評価した場合は、通常のクッション円柱にすぎず、上記のような課題を解決する技術には至っていない。
【００１０】
特許文献２（特表２００６−５２３４９９）においては、これも枕としての発明が開示されているが、上記課題の下側の腕への圧迫を回避するために枕の下部に空洞を設け、そこに腕を挿入することにより腕への圧迫感を回避するだけであり、抱き枕としての上記課題については触れられておらず、課題解決のための抱き枕としての機能を有してはいない。  
【先行技術文献】
【特許文献】
【００１１】
【特許文献１】特開２００８−１１３８５４
【特許文献２】特表２００６−５２３４９９
【発明の概要】
【発明が解決しようとする課題】
【００１２】
上述したように、本発明は、単なるクッション材としての抱き枕ではなく、就寝時の横向け寝や半うつ伏せ寝において、下側となる腕や肩及び太もも部などの圧迫を回避し、抱き枕の上側となる腕や肩及び太もも部などが安定してその位置を保ち、同様に圧迫感を感じる胸、心臓部、お腹などの苦しさの解消につながる抱き枕であって、人の体型に則した快適な抱き枕を提供することを課題とする。
【００１３】
そして、人の身体の形状つまり体型は、大人から子供まで千差万別であるため、例えば、肩幅、腕の長さ、体重などの違う人に対しても適合し、就寝時の左右への寝返りも対応でき、暑さによる発汗を回避する風通しなどを確保できる健康で快適な抱き枕を提供することを課題とする。
【課題を解決するための手段】
【００１４】
本発明は、就寝時の横向け寝や半うつ伏せ寝において、抱き枕の下側となる腕や肩及び太もも部などの圧迫を回避し、抱き枕の上側となる腕や肩及び太もも部などが安定してその位置を保ち、同様に圧迫感を感じる胸、心臓部、お腹などの苦しさの解消につながる抱き枕であって、人の体型である肩幅、腕の長さ、体重などの違う人に対しても適合し、就寝時の左右への寝返りも対応でき、暑さによる発汗を回避する風通しなども確保できる健康で快適な抱き枕を提供することを企図してなされた。
【００１５】
かかる課題を解決するため、本発明に係る就寝時緩衝体は、立方体又は直方体又は台形体に近似した形状体であって、各面には互いに向かい合う一方の辺の中央部近傍から対となるもう一方の辺の中央部近傍まで凹状の窪みを有する緩衝体であって、前記凹状の窪みは、少なくとも人の腕を挿入することができる大きさであることに特徴を有する。
【００１６】
また本発明に係る就寝時緩衝体は、前記立方体又は直方体に近似した形状体の少なくとも一辺の長さは、人の肩幅に近似させた寸法であって、小さい場合は子供の肩幅寸法に近似し、大きい場合は大人の肩幅に近似した寸法であることに特徴を有する。
【００１７】
同様に本発明に係る就寝時緩衝体は、前記台形体に近似した形状体の少なくとも一辺の長さは、人の肩幅に近似させた寸法であって、小さい場合は子供の肩幅寸法に近似し、大きい場合は大人の肩幅に近似した寸法であることにあることに特徴を有する。
【００１８】
本発明に係る就寝時緩衝体は、その形状が立方体状であってもよいし、直方体状であってもよいし、台形体状や菱形六面体であってもよい。但し、それらの形状体の各頂点部及び各辺部（梁部）は鋭角ではなく柔らかい曲面体形状である。略円柱体であっても、上記直方体状に含まれる概念として主張する。同様に略球体であっても、上記立方体状に含まれる概念として主張する。
【００１９】
人は就寝時に横向き寝や半うつ伏せ寝をする場合、上側の腕を、上記の立方体又は直方体又は台形体に近似した形状体で構成される本発明に係る就寝時緩衝体の上面に載せて寝ることができる。その面が、互いに向かい合う一方の辺の中央部近傍から対となるもう一方の辺の中央部近傍まで凹状の窪みを有することにより、該就寝時緩衝体の上面に安定した状態で腕を載せて寝ることができる。
【００２０】
また同様に、横向き寝や半うつ伏せ寝をする場合、下側の腕を、上記の立方体又は直方体又は台形体や菱形六面体に近似した形状体で構成される本発明に係る就寝時緩衝体の下面に挿入して寝ることができる。その面が、互いに向かい合う一方の辺の中央部近傍から対となるもう一方の辺の中央部近傍まで凹状の窪みを有することにより、該就寝時緩衝体の下面に圧迫されない状態で腕を挿入して寝ることができる。また、胸部に近接する側の該就寝時緩衝体の側面も凹状の窪みを有することにより、該就寝時緩衝体が胸部を圧迫することがない。
【００２１】
これにより、下側の腕が圧迫されず、上側の腕が肩から垂れ下がって胸部や腹部を圧迫することがないため、快適な眠りを得ることができる。
【００２２】
本発明に係る就寝時緩衝体は、横向き寝や半うつ伏せ寝をする場合、上記の立方体又は直方体又は台形体や菱形六面体に近似した形状体で構成される就寝時緩衝体のどの面を使用してもよく、制限はない。例えば、本発明に係る就寝時緩衝体の一辺の長さが、大人又は子供の肩幅に近似している長さであれば、その一辺を上下方向の高さにして用いることができる。また本発明に係る就寝時緩衝体は、発泡性部材を含んで構成されているか内部に空洞を有するバルーン体などであり、軽量であるため位置移動が簡単で、寝返りするときも任意の最適な位置に移動させて利用することができる。
【００２３】
本発明に係る就寝時緩衝体が台形体状（本発明において、立方体状又は直方体状の立体物の一面が、その面と隣接しない相対する面の面積より小さい又は大きい場合、その立体物を「台形体」と称する。以下に同様である。）であれば、横向き寝や半うつ伏せ寝をする場合、短辺側を胸側にし、長辺側を腕の先端側に用いることもできる。また、この逆の向きで使用することが出来る。このように上側の腕の付け根部分を載せる該就寝時緩衝体の高さを就寝時の好みの高さに合わせることが出来る。これにより、腕又は胸部・腹部を圧迫しない快適な就寝を得ることができる。台形体あるいは菱形六面体形状の就寝時緩衝体を体に近い側の上面の辺が同様の下面の辺よりもより体の近くに配置して使用する場合、該就寝時緩衝体の上面は上側の腕をその付け根により近い部分から載置することができるので、上側の腕と該就寝時緩衝体の上面との接触面積が広くなり腕の圧迫感を軽減できると共に、上側の腕の付け根と上側の腕の該就寝時緩衝体の上面の接触位置との間の間隔距離を短くすることが出来るため、該間隔距離に腕の重量を乗じた値に比例して肩に作用するモーメント（負荷）を低減することが出来る。更に、該就寝時緩衝体の体に近い側の下面の辺が同様の上面の辺に対して体からより離れて配置されることになるため、該就寝時緩衝体の体に近い側の側面が胸部や腹部を圧迫させることを低減させることが出来る。
【００２４】
本発明に係る就寝時緩衝体の緩衝体は、前記立方体又は直方体又は台形体や菱形六面体に近似した形状体の表面材質が、発泡性軟質樹脂及び／若しくは弾性布から構成され、前記立方体又は直方体又は台形体や菱形六面体に近似した形状体の内部が、発泡性樹脂球体で充填されている態様をとることもできる。
【００２５】
また、本発明に係る就寝時緩衝体の前記発泡性軟質樹脂は連続気泡で形成されていることに特徴を有することもできる。
【００２６】
つまり本発明に係る就寝時緩衝体の緩衝体は、その全体が発泡性軟質樹脂であってもよいし、表面のみが発泡性軟質樹脂であってもよい。また表面のみが、弾性布で覆われていてもよい。内部が空洞であれば、小さな多数の発泡性樹脂球体で充填されていてもよい。通風性がよく、夏高温時などは内部に熱がこもることを解消できるため快適性が増す。
【００２７】
同様に本発明に係る就寝時緩衝体の緩衝体が発泡性軟質樹脂の場合は、連続気泡で形成されていることが、通風性向上及び高湿度の解消に効果を発揮し、寝汗などの篭りを解消することができる。
【００２８】
発泡性軟質樹脂の内部気泡の形成構造種類には、独立気泡構造と連続気泡構造の２種があり、独立気泡は気泡のつながりがないため、水分や空気を通しにくく、気泡の中の空気も抜けにくい性質がある。そのため、独立気泡のウレタンフォーム等はパッキン材やタイヤのチューブ、水泳補助用具などに使われる。連続気泡は中の気泡が繋がっているため、水分や空気を通しやすい性質がある。そのため、洗剤などの泡立ちがよく、保水力も高いため、洗浄用のスポンジや水耕栽培用のスポンジとして使われる。つまり、連続気泡は中の気泡が繋がっているため、通風性がよく高温高湿度時の温度湿度（水分）の解消に効果を発揮するからである。
【００２９】
本発明に係る就寝時緩衝体は、前記立方体又は直方体又は台形体や菱形六面体に近似した形状体の各頂点部及び中心部が、球体又立方体又は直方体又は台形体や菱形六面体に近似した前記緩衝体の立体物で構成されており、前記各頂点部と中心部とが棒状体で連結されている形態をとることもできる。
【００３０】
そして、前記立方体又は直方体又は台形体や菱形六面体に近似した形状体の内部は、小さな発泡性軟質樹脂球体及び／若しくは連続気泡で形成されている小さな発泡性軟質樹脂球体で充填されている態様をとることもできる。
【００３１】
つまり本発明に係る就寝時緩衝体は、立方体又は直方体又は台形体や菱形六面体に近似した形状体を形成するために、その形状体の外形頂点部に球体又立方体又は直方体又は台形体又は菱形六面体に近似した緩衝体の立体物を敷設し、その外形各頂点部を就寝時緩衝体中心部から連結された棒状体で連結して構成することもできる。
【００３２】
この場合、外形頂点部の球体又立方体又は直方体又は台形体又は菱形六面体の略中心部から棒状体に連結させることにより、各頂点部の球体又立方体又は直方体又は台形体又は菱形六面体は、就寝時緩衝体の外形を形つくる。よって例えば、就寝時緩衝体の外形全体を伸縮性の布で覆うことにより快適な就寝時緩衝体を構成することもできる。
【００３３】
本発明に係る就寝時緩衝体は、その立方体又は直方体又は台形体又は菱形六面体に近似した形状体が、気体を充填して形成する大きなバルーン体（大きなキューブ体）であって、前記立方体又は直方体又は台形体又は菱形六面体に近似した形状体の頂点には、気体を充填して形成する小さな立体状のバルーン体（小さなキューブ体）が敷設されており、前記大きな各バルーン体の各頂点位置と前記小さな立体状のバルーン体との中心位置が同一位置近傍であり、前記大きな各バルーン体と前記小さな立体状のバルーン体は、内部連結されていることにより同一時に気体を充填又は排出することができる形態をとることもできる。
【００３４】
つまり本発明に係る就寝時緩衝体の全体をひとつの気体を充填されたバルーン体（風船体）とし、就寝時緩衝体の各頂点には、個別の形状の小さな立方体又は直方体又は台形体又は菱形六面体に近似した形状体のバルーン体（風船体）を若干突出した形態で敷設させる。そして、それらは全体として一体のバルーン体（風船体）とすることによって、柔らかな就寝時緩衝体を形成することができる。該バルーン体はその内部に空気を充填させて所定の立体形状の就寝時緩衝体として使用し、不使用時には内部の空気を排出させて折畳み、コンパクトにして携帯や収納容易とすることが出来る。就寝時緩衝体としてのバルーン体の形状保持性を満足させるための空気充填圧力は、通常の浮き輪と同等程度の0.1atg弱程度で充分であり、通常成人が呼気充填可能な圧力である。該バルーン体が軽量であることと携帯容易であることから、旅行に携行し、移動体内あるいは宿泊先での就寝時に使用することも出来る。
【００３５】
全体は緩衝性・可撓性を有する気密性のある軟質性合成樹脂シートであればよく、材質を特に限定するものではない。形状を除けば、所謂浮き輪と同じであってよく、快適な本発明に係る就寝時緩衝体となる。
【００３６】
本発明に係る就寝時緩衝体は、前記立方体又は直方体又は台形体又は菱形六面体に近似した形状体の少なくとも１つの面が前記緩衝体で構成され、前記面を構成する頂点部以外の頂点部は、立体状の緩衝体で構成され、前記面を構成する頂点部及び前記面を構成する頂点部以外の頂点部が棒状体で連結されて前記立方体又は直方体又は台形体又は菱形六面体に近似した形状体を構成する形態をとることもできる。
【００３７】
つまり本発明に係る就寝時緩衝体は、全体形状の外形の一面を前記緩衝体（緩衝体板状体）で構成し、それ以外の頂点部を例えば球状などの任意形状の立体とし、前記緩衝体板状体から棒状物で連結することにより形成することもできる。この場合も快適な本発明に係る就寝時緩衝体となり得る。
【００３８】
以上のように本発明に係る就寝時緩衝体は、好ましい形状や形態を示し例示したが、特に大きさや形状、材質などを限定するものではない。それらは、従来の技術によって可能な形態をとってもよいことは言うまでもない。これらの細部においては様々な形態が従来技術から対応できるが、これらは本発明思想に内包されるものであり、また均等的形態においても本発明の技術思想に含まれることは言うまでもない。
【発明の効果】
【００３９】
このように本発明に係る就寝時緩衝体は、就寝時の横向け寝や半うつ伏せ寝において、特に下側となる腕や肩及び太もも部などの圧迫を完全に回避し、同様に圧迫感を感じる胸、心臓部、お腹などの苦しさの解消につながる抱き枕であって、人の体型である肩幅、腕の長さ、体重などの違う人に対しても適合し、就寝時の左右への寝返りも対応でき、暑さによる発汗を回避する風通しなども確保できる健康で快適な抱き枕を提供することができる。
【図面の簡単な説明】
【００４０】
【図１】本発明の一実施形態に係る就寝時緩衝体のイメージを示した概念図である。
【図２】本発明の一実施形態に係る就寝時緩衝体を使用しない就寝のイメージを示した概念図である。
【図３】本発明の一実施形態に係る就寝時緩衝体のイメージを示した概念図である。
【図４】本発明の一実施形態に係る就寝時緩衝体のイメージを示した概念図である。
【図５】本発明の一実施形態に係る就寝時緩衝体のイメージを示した概念図である。
【図６】本発明の一実施形態に係る就寝時緩衝体のイメージを示した概念図である。
【発明を実施するための形態】
【００４１】
以下、図面を参照して本発明を実施するための形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００４２】
図１は、本発明の一実施形態に係る就寝時緩衝体のイメージを示した概念図である。同図に示すように本発明の一実施形態に係る就寝時緩衝体は、略立方体形状の形態をとることもできる。各辺の略中央部から、その辺が形成する面の対となる辺の略中央部までつながる窪み（凹部）２を有している。よって、就寝時、横向き寝の場合、この本発明の一実施形態に係る就寝時緩衝体１を抱き枕のように抱えることにより、上側の腕は上面の窪み（凹部）２に収まり、下側の腕は下面の窪み（凹部）２に収まる。
【００４３】
本発明の一実施形態に係る就寝時緩衝体の一辺の長さが、人の肩幅に近似していることにより、腕又は胸部・腹部を圧迫しない快適な就寝を得ることができる。また図１においては、略立方体状の形態で表現しているが、直方体状の形態であれば足部（膝部）を載せて休むこともできる。また、本発明の一実施形態に係る就寝時緩衝体の各辺の長さを変更した形態にすれば、大人から子供まで肩幅の違いに合わせた長さの辺を選択することにより、就寝時に自在に対応することができる。
【００４４】
本発明の一実施形態に係る就寝時緩衝体が略菱形六面体状の形態であれば、上記により的確に対応できる上に、足部（膝部）を載せて休むことができる。本発明の一実施形態に係る就寝時緩衝体の表面及び内部は、緩衝性及び弾力性のある例えば発泡性合成樹脂であるため、就寝時に弱らかく身体にフィットすることができる。
【００４５】
図２は、本発明の一実施形態に係る就寝時緩衝体を使用しない就寝のイメージを示した概念図である。図２のようなシムス位３の就寝体形は、上半身がうつ伏せで、腕は背側に置かれる。同図に示すように、右下横臥のシムスの体位では右腕を背側に配置するため、右腕付け根部分が圧迫されて血流が制限され、しびれが起こる。図２で理解できるように、右腕を背側に配置する体位では必然的に左肩が前に配置されるため、肺と心臓が圧迫され快適な睡眠姿勢にはならない。このような不自然なシムス位３では健康な睡眠をとることができない。本発明の一実施形態に係る就寝時緩衝体はこのような課題を解決することができる。
【００４６】
図３は、本発明の一実施形態に係る就寝時緩衝体のイメージを示した概念図である。同図は、図１に示した本発明の一実施形態に係る就寝時緩衝体の内部を示す事例である。例えば、略立方体状の各頂点部を図３に示すように略球状の緩衝体４とし、それらの球状緩衝体が棒状物５で、中心の中心球状体６に連結している。これにより次の図４に示すような本発明の一実施形態に係る就寝時緩衝体の略立方体形状を形成することができる。
【００４７】
図４は、本発明の一実施形態に係る就寝時緩衝体のイメージを示した概念図である。同図は、図３に示した本発明の一実施形態に係る就寝時緩衝体の内部を、外側から伸縮性のある弾性布材７で覆い略立方体状の就寝時緩衝体を形成する態様を示している。弾性布材７は合成樹脂であってもよいし、又は天然の弾性布材であってもよい。
【００４８】
図４に示すように、本発明の一実施形態に係る就寝時緩衝体の内部の棒状物５および中心球状体６以外の内部空間は空気のみの空洞とするあるいは発泡性軟質弾性を有する小さな球体（発泡性樹脂球体）８を充填することもできる。就寝時緩衝体の全体を柔らかくし、抱き枕として感触性を向上させる機能を有する。中心球状体６はもちろん中心体９のように自由な形態をとりうることは言うまでもない。
【００４９】
図５は、本発明の一実施形態に係る就寝時緩衝体のイメージを示した概念図である。同図に示すように、本発明の一実施形態に係る就寝時緩衝体は上記のような形態の他に、各頂点部を小さな略立方体形状体１０とし、本体を大きな略立方体形状体１１とする一体型バルーン体就寝時緩衝体１２のとすることもできる。一体型バルーン体就寝時緩衝体１２は、同時に内部に気体を充填させて形成できるバルーン（気体袋）である。当然、脱気収縮も同時にできる。
【００５０】
図６は、本発明の一実施形態に係る就寝時緩衝体のイメージを示した概念図である。同図に示すように本発明の一実施形態に係る就寝時緩衝体は、スポンジマットのような緩衝体１３に複数の足部１４と先端球体１５で構成することもできる。緩衝体１３は、表面が柔らかいが、上面の各辺の略中央部と対となる辺の略中央部まで図１に示すような窪み（凹部）２を設けても良い。
【００５１】
上記のように、本発明の一実施形態に係る就寝時緩衝体は、その形状を自由に選択することができ、その目的に従い機能を発揮することができる。つまり本発明に係る就寝時緩衝体は、用途に合わせて、大きさ・形状を選択して好都合なものを適合させればよい。
【００５２】
本発明に係る就寝時緩衝体は、様々な用途に利用することができる。本発明は、上述した実施形態に限定されるものではなく、本発明の主旨を逸脱しない範囲内で種々変更して実施することが可能である。それらの用途別の適した形態は全て本発明の技術思想に含まれるものである。そして、従来技術を用いた均等方法も全て本発明の技術思想に内包されるものである。
【産業上の利用可能性】
【００５３】
上述したように、本願に係る就寝時緩衝体によれば、単なるクッション材としての抱き枕ではなく、就寝時の横向け寝や半うつ伏せ寝において、特に下側となる腕や肩及び太もも部などの圧迫を完全に回避し、同様に圧迫感を感じる胸、心臓部、お腹などの苦しさの解消につながる抱き枕であって、人の体型に則した快適な抱き枕を提供することができる。
【００５４】
そして、人の身体の形状つまり体型は、大人から子供まで千差万別であるため、例えば、肩幅、腕の長さ、体重などの違う人に対しても適合し、就寝時の左右への寝返りも対応でき、暑さによる発汗を回避する風通しなどを確保できる健康で快適な抱き枕を提供することができる。
【００５５】
本願に係る就寝時緩衝体は、住居などでの個人使用に限らず、病院、介護施設、運動施設、宿泊施設、移動体などにおいても利用でき、各種産業に対しても有益性をもたらすものである。
【符号の説明】
【００５６】
１  就寝時緩衝体
２  窪み（凹部）
３  シムス位
４  略球状緩衝体
５  棒状物
６  中心球状体
７  弾性布材
８  球体（発泡性樹脂球体）
９  中心体
１０  小さな略立方体形状体
１１  大きな略立方体形状体
１２  一体型バルーン体就寝時緩衝体
１３  スポンジマットのような緩衝体
１４  足部
１５  先端球体
【図１】
2020124361.tif 000003
【図２】
2020124361.tif 000004
【図３】
2020124361.tif 000005
【図４】
2020124361.tif 000006
【図５】
2020124361.tif 000007
【図６】
2020124361.tif 000008